(57)【要約】  本発明は、スクリーン（２）の人間工学的に正しい調整のための方法に関する。本発明の目的は、高い精度を有する、単純な調整を提供することである。本発明によれば、これは、スクリーン（２）の前方に座るユーザ（９）が画像上に描画される物体（１）がスクリーン（２）の表示領域上に取り外し可能に配置されることにより実現される。次に、スクリーン（２）の向きは、ユーザ（９）の描画が画像の指定された複数の境界内に入るまで変更される。更に、本発明は、そのような方法のためのセットに関する。
2016527543.tif 000002
【特許請求の範囲】
【請求項１】
スクリーンの人間工学的に正しい調整のための方法であって、
物体は、前記スクリーンの表示領域上に取り外し可能に配置され、
前記物体において、前記スクリーンの前方に座るユーザは、画像上に描画され、
前記画像上で、前記スクリーンの向きは、前記ユーザの描画が前記画像の複数の予め規定された境界内に入るまで変更される、方法。
【請求項２】
好ましくは、マーキングを備える反射物体が、用いられる、請求項１に記載の方法。
【請求項３】
光学記憶媒体として実施される物体、具体的にはＣＤ、ＤＶＤまたはブルーレイディスクが、用いられる、請求項１または２に記載の方法。
【請求項４】
前記物体は、前記スクリーンの前記表示領域に取り外し可能に接続され得るアダプタに、取り外し可能に接続される、請求項１〜３のいずれか１項に記載の方法。
【請求項５】
前記物体は、前記表示領域の中央に配置される、請求項１〜４のいずれか１項に記載の方法。
【請求項６】
人間工学的に有利な偏角は、規定された角度で前記表示領域に接続された水準器により調整される、請求項１〜５のいずれか１項に記載の方法。
【請求項７】
請求項１〜６のいずれか１項による方法を実行するためのセットであって、
前記セットは、
物体の周囲領域の部分が画像上に描画され得る物体と、
前記物体がスクリーンの表示領域に取り外し可能に取り付けられ得る取り付け手段を備える、セット。
【請求項８】
前記物体は、光学記憶媒体、具体的にはＣＤ、ＤＶＤまたはブルーレイディスクである、請求項７に記載のセット。
【請求項９】
前記取り付け手段は、クリングフィルムを備え、具体的には前記物体に取り外し可能に接続される、請求項７または８に記載のセット。
【請求項１０】
前記セットは、水準器アダプタを備え、
前記水準器アダプタにおいて、規定された絶対的スクリーン傾斜角は、調整され得、
具体的には、水準器は、前記水準器アダプタに固定されて接続される、請求項７〜９のいずれか１項に記載のセット。
【発明の詳細な説明】
【背景技術】
【０００１】
本発明は、スクリーンの人間工学的に正しい調整の方法に関する。更に、本発明は、この種の方法を実行するためのセットに関する。
【発明の概要】
【０００２】
定期的に、視覚的ディスプレイユニットによる作業が健康問題をもたらし、これは複数の理由でも特に、ワークステーションにおける人間工学的に最適ではない姿勢により誘発されることを複数の調査は示している。多くの場合、これは誤って調整されたスクリーンの結果である。スクリーン表面が視聴者の視線に鉛直になるようにスクリーンが傾くと、スクリーンは、正しく調整され、中央でスクリーン表面に交差する視線の視野角は、およそ９０°である。更に、視線が水平線から１５°〜３５°低くなれば人間工学的に有利である。
【０００３】
ユーザの人間工学的に好ましいスクリーンからの距離は、ユーザの腕の長さにほぼ等しい。スクリーンが人間工学的に正しく取り付けられず、具体的には正しくない高さで位置決めされ、正しいスクリーン角度で傾かない場合、ユーザは、この正しくない位置決めを正しくする姿勢を無意識のうちにとり、この姿勢が頸椎の不適切な伸張をもたらす。すると、頸椎の不適切な伸張は、胸椎および腰椎の領域に相補的で痛みを伴う変化をもたらす。更に、「猫背」の正しくない座位により、椎間板に対する偏った圧力が生じる。
【０００４】
病欠および治療コストが増加するので、誤って調整されたスクリーンは、高い経済的損失をもたらす。多くのユーザが誤って調整されたスクリーンの問題を認識しておらず、また、容易で迅速に適用可能な、スクリーンの正しい位置合わせの方法が存在しないことが示されている。
【０００５】
従来技術において、ユーザの鏡像を用いることによりスクリーンの調整中に、スクリーンの向きの改善を実現するべく、スクリーンベゼル上にスクリーンを接続する反射装置が知られている。その際、この方法では、スクリーンベゼルのみが正しく調整され得、ユーザの視野が向けられる表示領域の中心に対する視野角が誤って位置合わせされる可能性があり、その結果として上記の健康問題が防止され得ないことが難点であった。
【０００６】
従って、本発明の目的は、視覚的ディスプレイユニットによる作業によって生じる健康問題を減少させ得る、冒頭記載のタイプの方法を特定することである。また、特に複雑でない態様で本方法を実装し、本方法を単純な器具で実行することは可能なはずである。
【０００７】
更に、単純で費用効率良く製造し得る、このタイプの方法を実行するためのセットが特定される。
【０００８】
第１の目的は、冒頭記載のタイプの方法により達成される。この場合、物体は、スクリーンの表示領域に取り外し可能に配置され、当該物体を用いて、スクリーンの前方に座わるユーザが画像上に描画され、これに基づいて、ユーザの描画が画像の予め規定された境界内に入るまでに、スクリーンの向きは変更される。
【０００９】
これにより、特に単純なスクリーンの位置決めを可能にする。この場合、最も単純な複数の器具を用いて、最適な視野角およびスクリーンの最適な高さの双方が設定される。その際、原則的に任意の物体が用いられ得、これにより、画像取得、画像処理および画像表示用の装置等、スクリーンの前方に位置するユーザの画像が生成され、具体的には描画され得る。その際、画像上の複数の予め規定された境界における配置は、具体的には表示領域の中央に対する表示領域上に配置された物体の向きに依存する。このように、ユーザの描画が画像内に部分的にでも既に存在すれば、正しい位置合わせも示し得る。表示領域において、物体の一時的な好ましい位置決めにより、一方において表示領域が正しく位置合わせされることを保証する。他方、物体は、調整後に再び取り外され得、本発明による方法を用いて、別のスクリーンが調整され得、異なる大きさおよび設計による複数のスクリーンが、１つの物体により調整され得る。従って、更に、この種の方法および必要な物体の単純な構想により、人間工学的なコンセプトが、ユーザに容易に利用可能となり得ることが示される。結果として、高い学習効果およびユーザの健康に対する良好な効果が実現され得る。
【００１０】
好ましくはマーキングを備える反射物体が用いられれば、有利である。それにより、本方法は単純化される。任意の所望の鏡は、例えばスクリーンに接続され得、ユーザが鏡の方を向きつつ、人間工学的に正しい座位を保持すれば、スクリーンの人間工学的に正しい向きが存在するからである。その際、画像は反射物体により生成および提供される。その際、反射物体の反射面が当該領域の表示領域に平行に配置されれば、有効であることが判明している。勿論、反射面は、所望なように鏡に映され、またはホログラフィックになるように実施され得る。干渉効果を有する鏡に映された複数の材料、並びに鏡に映され、同時に透明な複数の材料も用いられ得る。従って、９０°の視野角を設定することは、容易可能である。この視野角は、ユーザが反射物体上の鏡像の中心を見れば実現されるからである。高さおよびスクリーン角度に関して、スクリーンがそれに応じて調整されなければならない最適な向きを特定するべく、鏡に複数のマーキングが提供され得る。正しい調整を単純化するべく、これらのマーキングは、顔の形状を有し得る。従って、スクリーンが正しく位置決めされる場合に、ユーザの描画が画像上にある境界は、単純に画定される。
【００１１】
本方法は、光学記憶媒体、具体的にはＣＤ、ＤＶＤまたはブルーレイディスクとして実施される物体が用いられる場合には、低いコストで実装され得る。このように、一方において、この種の格納媒体は、フラットで反射的形態であるので、正確な位置決めが可能である。他方、本方法または宣伝用の複数のメッセージを実行するための複数の指示が、デジタル形式で格納媒体上に格納され得、その結果ユーザは、更なる追加価値を受け取る。従来のＤＶＤよりも高い反射率、具体的には９０％より高く、好ましは９５％よりも高い反射率を有する高反射ＤＶＤと称するものが用いられるのが好ましい。結果として、本方法は、貧弱な照明状況においても実行され得る。しかし、プラスチック製の鏡、例えばアクリル樹脂、ポリスチレンまたはポリカーボネート性の鏡も、用いられ得る。
【００１２】
物体が、スクリーンの表示領域に取り外し可能に接続され得るアダプタに取り外し可能に接続されるならば、スクリーンに物体の単純な接続が生成される。単純な実施形態において、これは、例えば両面接着フィルムであり得る。しかし、良好な嵌合する物体に接続され得、具体的には接着による可逆的接着技術または吸引技術を用いてスクリーンに取り外し可能に接続される、アダプタも用いられ得る。その際、物体、アダプタおよびスクリーンの間の接続は、具体的には可逆的接着技術により実現され得、反復して接着する接着剤が用いられる。通常、接着フィルムまたはクリングフィルムが用いられ、これらは、例えば頻繁に用いたことで接着力が減少した場合、新しいフィルムと交換される。通常、フィルムを物体に取り付ける接着層は、接着材の残留物を物体上に残すことなく、新しいフィルムがその後に塗布され得るように、手で層を物体から取り外すことができる態様で実施される。あるいは、物体は、スクリーン上に直接に配置され得る。
【００１３】
特に好ましい人間工学的なスクリーンの向きを実現するには、物体が表示領域の中央に配置されると有利である。このように、表示領域の中心またはスクリーンの中心に対する９０°の視野角は、極めて単純にに設定され得る。
【００１４】
ユーザの腕の長さに等しい、ユーザに対する距離でスクリーンが位置決めされれば、有利である。これにより、ユーザからの最適な距離でスクリーンの単純な位置決めを可能にする。特に単純には、これは、スクリーンが調整される間に、ユーザの腕をスクリーンまで伸ばすことにより行われ得る。あるいは、対応する長さは、距離を判断する既知の複数の方法を用いて測定され得、スクリーンは、その際、ユーザの解剖学的構造からもたらされた基準距離を用いて判断された測定値を比較することにより調整され得る。
【００１５】
また、頸椎の不適切な伸張を回避するには、人間工学的に有益な偏角が規定された角度において表示領域に接続された水準器により調整されれば、有利である。その際、偏角は、表示領域に鉛直に交差するべく、視聴者の視線が水平線よりも低くならなければならない角度を参照する。１５°〜３５°の偏角は、人間工学的に有利である。従って、偏角は、鉛直線に対して表示領域が傾く角度にも対応する。原則的に、絶対角を測定する任意の所望の装置であって、規定された偏角の可能なセットを提供する装置は、角度スケール、加速度計等を提供される鉛直線等の表示領域に接続され得る。水準器とも称する、僅かに湾曲し、液体ならびに空気もしくは気泡を充填されたプラスチックもしくはガラスの管が用いられれば、設計の観点からは、特に単純であることが判明している。この目的のために、水準器における気泡の向きに基づいて、鉛直線に対する表示領域の正しい調整が容易に判断され得るように、水準器は、偏角に相補的な角度で表示領域に取り外し可能に接続されるのが好ましい。その際、水準器は、有利なことにゲッコーフィルム等のクリングフィルムにより、表示領域に取り外し可能に接続され得、通常は第１の脚および第２の脚を有する水準器アダプタに取り付けられるのが好ましい。その際、２つの脚は通常、偏角に相補的な角度で固定されて接続され、通常、ゲッコーフィルムは、第１の脚の背面側に配置される。水準器アダプタが表示領域上に配置される場合に、表示領域が規定された偏角により鉛直線から偏向されるときに、水準器が実質的に水平の向きにあるように、水準器は、第２の脚に取り付けられる。あるいは、水準器アダプタを用いて複数の異なる偏角が設定され得るように、脚は、回転軸を中心にしても回転可能に接続され得る。勿論、水準器は、その他の好適な態様、例えば吸引パッドまたは可逆的接着技術によってもスクリーンに接続され得る。
【００１６】
アダプタ、物体もしくは水準器を取り付けるべく吸引パッドが用いられる場合、吸引パッドがアダプタ、物体もしくは水準器の背面の陥凹に組み込まれ、貫通孔を通して前方側から作動され得るのが有利であると判明している。
【００１７】
その際、単純な設計のために、水準器アダプタは、物体を収容するアダプタに組み込まれ得る。
【００１８】
あるいは、水準器アダプタは、アダプタから表示領域に別々に接続される別個のコンポーネントとして実施され得る。このように、容易に格納および出荷され得る、特に小さい複数のコンポーネントが実現され得る。
【００１９】
水準器アダプタがアダプタと同一の材料で構成されていれば、有利である。具体的には、ポリメチルメタクリレートまたはアクリルガラスが視覚的および触覚的に魅力的であると判明している。勿論、水準器アダプタは、他の複数の材料、例えばポリスチレンまたはポリカーボネートからも構成され得る。
【００２０】
視野角の調整とは別に、絶対角を測定する装置がスクリーンに取り外し可能に取り付けられ、この装置により偏角が調整されることが予定され得る。例えば、これは、水準器アダプタ、または加速度計等の電子センサを用いた水準器であり得る。組み込み型カメラを備えるスクリーンが用いられる場合、視野角は、例えばカメラによりスクリーン上で取得された画像の描画を用いて、人間工学的に正しく調整され得る。偏角は、スクリーンに組み込まれたカメラによっては調整され得ず、絶対角を測定する装置により単純に調整され、この装置は、スクリーン上に取り外し可能に配置されるのが好ましい。
【００２１】
他の目的は、冒頭記載のタイプのセットにより達成される。セットは、物体の周囲領域の部分が画像上に描画され得る物体と、物体がスクリーンの表示領域に取り外し可能に取り付けられ得る取り付け手段とを備える。この種のセットは、複数の手段のうち最も単純なものを用いて本発明による方法を実行することを可能にする。
【００２２】
物体が光学記憶媒体、具体的にはＣＤ、ＤＶＤまたはブルーレイディスクであることが予定されているのが好ましい。この種の複数の物体は、大きな量に基づいて入手可能に製造されるので、本方法を実行するのに必要なコストは、最小化される。
【００２３】
物体の単純で解放可能な結合は、取り付け手段がクリングフィルムを備え、具体的には物体に取り外し可能に接続される場合には、表示領域上で実現され得る。これは、例えば良好に嵌合して物体に接続され、一方の側に表示領域に取り外し可能に接続され得るクリングフィルムを備えるアダプタにより実現され得る。また、この種の複数のフィルムは、ゲッコーフィルムと称し、取り外し可能な接続を生成するべく複数回、用いられ得る。あるいは、表示領域に物体を取り付ける吸引パッドを用いたアダプタの設計も可能である。
【００２４】
このセットを用いて偏角を適切に調整するには、セットが、規定された絶対的モニタ傾斜角度が調整される水準器アダプタを備え、特定の水準器が固定された水準器アダプタに接続されれば、有利である。
【００２５】
あるいは、セットは、絶対角を測定する装置のみでも構成され得、この装置は、スクリーンに取り外し可能に接続され得る。従って、例えば、視野角がスクリーンにおいて組み込まれたカメラにより取得された画像を提供することにより調整され、偏角が絶対角を測定する装置により調整される場合、人間工学的に正しくラップトップのスクリーン等のスクリーンを組み込み型カメラを用いて容易に調整することが可能である。
【図面の簡単な説明】
【００２６】
本発明の更なる特徴、利益および効果は、以下に説明される例示的な実施形態から明らかになる。その際、参照される複数の図面は、以下を示す。
【図１】本発明による方法を実行する物体を有するスクリーンを示す。
【図２】視覚的ディスプレイユニットのワークステーションの概略図を示す。
【図３】本発明によるセットのためのアダプタを示す。
【図４】本発明によるセットのためのアダプタを示す。
【図５】水準器を有する水準器アダプタの異なる複数の実施形態を示す。
【図６】水準器を有する水準器アダプタの異なる複数の実施形態を示す。
【図７】本発明によるセットの異なる複数の実施形態を示す。
【図８】本発明によるセットの異なる複数の実施形態を示す。
【図９】本発明によるセットの異なる複数の実施形態を示す。
【図１０】本発明によるセットの異なる複数の実施形態を示す。
【図１１】本発明によるセットの異なる複数の実施形態を示す。
【図１２】上面図における本発明によるセットの水準器を示す。
【図１３】本発明による方法を実行する物体および水準器アダプタを有するスクリーンを示す。
【図１４】視覚的ディスプレイユニットのワークステーションの更なる概略図を示す。
【図１５】本発明による方法を実行する物体を有する更なるアダプタの断面図を示す。
【図１６】異なる断面図における、本発明による水準器アダプタおよびセットの水準器の更なる実施形態を示す。
【図１７】異なる断面図における、本発明による水準器アダプタおよびセットの水準器の更なる実施形態を示す。
【発明を実施するための形態】
【００２７】
図１および２は、スクリーン２を示し、ＤＶＤとして実施された物体１は、スクリーン２の表示領域３の中央に取り外し可能に取り付けられる。その際、ＤＶＤは、中央の挿入開口部でＤＶＤに取り外し可能に接続されたアダプタ５により表示領域３に接続される。本実施形態において、本発明によるセットは、ＤＶＤおよびアダプタ５により構成され、これらはスクリーン２の表示領域３およびＤＶＤに取り外し可能に接続され得る。スクリーン２の前方に位置するユーザ９に対するスクリーン２の人間工学的に正しい調整は、ユーザ９の位置から見て、ＤＶＤに取り付けられたマーキング４内にユーザ９の鏡像が現れるまで、スクリーン２の高さ１１およびスクリーン角度δを変更することにより実行される。
【００２８】
図２は、補足した図で、ユーザ９と視覚的ディスプレイユニットのワークステーションを示す。ＤＶＤとして実施された物体１は、スクリーン２の表示領域３におけるスクリーン２上に配置され、ＤＶＤの反射面は、表示領域３の平面に対して平行に位置決めされるのが好ましい。本方法が実行されると、スクリーン２の高さ１１およびスクリーン角度δは、ユーザ９が自分自身をＤＶＤにおいて見えるようになるまで、ユーザ９に対して変更される。これは、ユーザ９の視線１０と表示領域３が存在する平面との間の視野角がおよそ９０°に等しくなるときに正確に行われる。ＤＶＤを表示領域３上の中央に配置することにより、表示領域３の中央、またはスクリーンの中央に対する正しい視野角αが保証される。ユーザ９とスクリーン２との間の正しい距離は、ユーザ９の腕の長さに等しいので、スクリーン２とユーザ９との間の最適な距離は、ユーザ９の座位からユーザ９が腕を伸ばすことにより、スクリーン２が調整されれば、特に単純に調整され得る。更に、視線１０が水平線より低くなった偏角βが１５°〜３５°に等しくなれば、人間工学的に正しいスクリーンの向きに有利である。ユーザ９がＤＶＤ上の鏡像の自分自身を見て、自身の頭部がその際、僅かに下に傾くまで、スクリーン２が調整されることにより、この正しい偏角βは、本発明による方法においてユーザ９により容易に達成され得る。本発明による方法が実行された後、ＤＶＤは、表示領域３から取り外され、別のスクリーン２を調整するべく用いられ得る。
【００２９】
図３および図４は、本発明によるセットの、図１によるアダプタ５を詳細に示す。図示されるアダプタ５は、ＣＤ、ＤＶＤまたはブルーレイディスクとして実施された物体１用に設計され、例えば、上部６を挿入開口部に嵌合することにより、ＣＤ、ＤＶＤまたはブルーレイディスクの中央の円形挿入開口部に取り外し可能に接続され得る上部６を備える。更に、好ましくは円筒状に実施された底部７が提供され、これは、ＣＤ、ＤＶＤまたはブルーレイディスクを、表示領域３と平行にその上で位置決めする複数の平行面１２を備える。アダプタ５をスクリーン２の表示領域３に取り外し可能に接続するべく、底部７に配置された接着フィルムが提供される。例えば、多種多様な接着フィルムが用いられ得る。図示される例示的な実施形態におけるように、クリングフィルム８が用いられれば、アダプタ５を表示領域３に、特に残留物が残らないように結合することが可能であり、当該フィルムはゲッコーフィルムとも称する。
【００３０】
本発明による方法は、スクリーン２の人間工学的に正しい調整を単純かつ迅速に可能にするので、正しくないスクリーンの位置決めからもたらされる損害は、容易に回避され得る。更に、本発明による方法のセットは、入手可能に製造され得、そのため本方法を実行するためのコストも最小になる。
【００３１】
図５および６は、好ましくはプラスチックもしくはアクリル樹脂ガラス製であり、スクリーン傾斜角が調整され得る、水準器アダプタ１６の複数の実施形態を示す。人間工学的に正しいスクリーン傾斜角は、１５°〜３５°の偏角βをもたらし、従って表示領域３は、鉛直線に対してこの角度で位置決めされる。水準器アダプタ１６は、２つの脚を備え、第１の脚には、ゲッコーフィルム等のクリングフィルム８が通常、設けられ、これにより水準器アダプタ１６は、スクリーン２の表示領域３に取り外し可能に接続され得る。水準器アダプタ１６の第２の脚には、水準器１３が配置され、水準器の軸１４は、偏角βに相補的な第１の脚に対する角度に配置され、従ってスクリーン２が正しく位置合わせされると、視線１０は、水準器の軸１４に対する偏角βに位置決めされる。水準器１３は、１もしくは２つの方向の水平方向から偏向を測定することを可能にするように、円形水準器もしくは管状水準器として実施され得る。単純な設計のためには、管状水準器を用いることが目的に適っていると判明している。水準器アダプタ１６が鋳型部分として設計される場合、水準器１３は、例えば水準器アダプタ１６の一体型コンポーネントとなり得る。あるいは、水準器１３は、水準器アダプタ１６に接続された追加のコンポーネントとしても実施され得る。その際、接続は、例えば良好な嵌合、接着接続または溶接接続により生成され得る。貧弱な照明状況において可視性を高めるべく、水準器１３は、蛍光または照明素子を備えてもよい。
【００３２】
図６において、異なる偏角βに対して水準器アダプタ１６を単純に用いることを可能にするべく、第１の脚および第２の脚は、固定されるのではなく、回転軸１９を中心に回転可能に接続される、代替的実施形態が示される。この目的のために、スケールまたは格子は、任意の所望の偏角βを設定するべく、水準器アダプタ１６上に設けられ得る。第１の脚が第２の脚上に配置される図６の水準器アダプタ１６、または図５の水準器アダプタ１６を用いるか否かは、ワークステーションにおける視覚的印象に左右され得る。
【００３３】
図７は、本発明による方法を実行するための物体１の実施形態を示し、この物体は、光学記憶媒体として設計されていない。図７による物体１は、プラスチック鏡としても設計され得、透明なプラスチック本体を備え、具体的にはポリメチルメタクリレートまたはアクリルガラスにより構成される。背面側に、ユーザ９の画像が鏡像として表示され得る反射層１５が設けられる。物体１を表示領域３に取り付けるべく、クリングフィルム８は、背面側に配置された反射層１５上に設けられる。
【００３４】
図８は、図７による物体１を示し、水準器１３を備える水準器アダプタ１６は、物体１に一体的に接続される。その際、水準器の軸１４は、偏角βで物体１に鉛直な視線１０に対して位置決めされる。
【００３５】
図９〜１１は各々、本発明によるセットを示し、このセットにより正しい視野角αおよび正しい偏角βの双方が調整され得、物体１は通常、ＤＶＤとして実施され、アダプタ５に取り外し可能に取り付けられる。図９による実施形態において、水準器アダプタ１６は、アダプタ５に一体的に接続される。図１０による実施形態において、水準器アダプタ１６は、このセットの好適な適合を可能にするべく、変位方向２０に沿ってアダプタ５に移動可能に接続される。図１１は、ＤＶＤ等の水準器アダプタ１６が良好な嵌合によりアダプタ５に取り外し可能に接続される実施形態を示す。
【００３６】
管状水準器として実施される水準器１３は、図１２に概略的に図示されている。水準器１３が水準器アダプタ１６により上記のスクリーン２上に配置される場合、気泡１７は、スクリーン傾斜角が正しいときの水準器の中心１８にマーキングされた領域内で位置決めされる。正しくないスクリーン傾斜角により、気泡１７は、水準器の中心１８のマーキングおよび画定された領域外に移動し、スクリーン傾斜角の単純な調整可能性が保証される。
【００３７】
図１３はスクリーン２を示し、この上に一方で、視野角αを調整するべく、マーキング４を有する物体１がアダプタ５により配置され、他方で図６の水準器１３を有する水準器アダプタ１６が偏角βを正しく調整するように配置される。その際、水準器アダプタ１６は、ゲッコーフィルムにより、アダプタ５とは別々にスクリーン２の表示領域３に取り外し可能に取り付けられる。
【００３８】
図１４は、視覚的ディスプレイユニットのワークステーションとスクリーン２を概略的に図示し、スクリーン２上に物体１、ならびに水準器アダプタ１６および水準器１３は、本発明による方法を目的として配置される。本方法を実行するべく、通常、正しいスクリーン角度δまたは偏角βは、水準器アダプタ１６および水準器１３により第１の段階で調整され、スクリーン角度δは、水準器１３が水平の向きになるまで変更される。これは、ユーザ９にとり、水準器の中心１８のマーキングされた領域に位置する気泡１７を用いて容易に認識可能である。次に第２の段階において、スクリーン２の高さ１１は、ユーザ９が物体１上の鏡像の中心に自分自身を見えるようになるまで変更される。従って、スクリーン２の人間工学的に正しい調整は、単純に実行され得る。
【００３９】
図１５は、本発明による方法を実行するべく、アダプタ５によりスクリーン２に取り付けられ得る物体１を示す。その際、アダプタ５は、吸引パッド２１によりスクリーン２の表示領域３に取り外し可能に接続され得る。示されるように、吸引パッド２１は、アダプタ５の背面の陥凹に配置され、従って通常の反射物体１の単純な平行の位置決めは、スクリーン２の表示領域３に対して可能である。吸引パッド２１は、縁部領域において結合２３によりアダプタ５に接続される。変更可能な体積を有する中空空間２４が、通常はゴム等により構成される吸引パッド２１とスクリーン２との間で形成されるように、吸引パッド２１の中央領域は、アダプタ５に対して移動され得る。中空空間２４の体積は、吸引パッド２１によりアダプタ５をスクリーン２に取り付けるべく、作動ボタン２２を押して中空空間２４内に負圧を生成することにより変更され得る。また、作動ボタン２２は、アダプタ５をスクリーン２から取り外すべく押され、それにより吸引パッド２１の中央領域は、破線により示される位置になり、負圧は中空空間２４内にもはや存在しなくなる。
【００４０】
図１６および１７は、水準器アダプタ１６および水準器１３の更なる実施形態による複数の断面図を示す。その際、図１７は、図１６の線ＸＶＩＩ−ＸＶＩＩに沿った水準器アダプタ１６による断面図を示す。見られ得るように、水準器アダプタ１６は、背面の陥凹に配置された吸引パッド２１によりスクリーン２に取り付けられ得る。その際、吸引パッド２１は、縁部で結合２３により、水準器アダプタ１６に接続される。また本実施形態において、図１５に図示された吸引パッド２１と同様に、吸引パッド２１とスクリーン２との間の中空空間２４の寸法は、水準器アダプタ１６の前方から作動ボタン２２を押すことにより変更され得る。作動ボタン２２は、水準器アダプタ１６により突出するからである。従って、水準器１３または水準器アダプタ１６は、スクリーンを人間工学的に正しく位置合わせするべく、単純にスクリーン２の表示領域３を反復して取り外し可能に接続し得る。
【図１】
2016527543.tif 000003
【図２】
2016527543.tif 000004
【図３】
2016527543.tif 000005
【図４】
2016527543.tif 000006
【図５】
2016527543.tif 000007
【図６】
2016527543.tif 000008
【図７】
2016527543.tif 000009
【図８】
2016527543.tif 000010
【図９】
2016527543.tif 000011
【図１０】
2016527543.tif 000012
【図１１】
2016527543.tif 000013
【図１２】
2016527543.tif 000014
【図１３】
2016527543.tif 000015
【図１４】
2016527543.tif 000016
【図１５】
2016527543.tif 000017
【図１６】
2016527543.tif 000018
【図１７】
2016527543.tif 000019
【国際調査報告】
2016527543.tif 000020
2016527543.tif 000021
2016527543.tif 000022
2016527543.tif 000023